(57)【要約】【課題】  簡単な構造で安価に施工できる有効適切な滑り支承を実現する。【解決手段】  基礎１等の支持構造物と、ＰＣスラブ２等の被支持構造物との間に滑り材を介装することによって被支持構造物を支持構造物に対して滑動自在に支持する構造の滑り支承３において、滑り材としてポリエチレンシート５ａ、５ｂを採用する。支持構造物と被支持構造物の双方にそれぞれ下地層４ａ、４ｂを介してポリエチレンシートを取り付け、双方のポリエチレンシートどうしを重ね合わせてその重ね合わせ面を滑り面６とする。支持構造物の表面にモルタルによる下地層４ａを形成してその表面を平坦に仕上げ、下地層の表面に支持構造物側のポリエチレンシート５ａを接着し、その表面に被支持構造物側のポリエチレンシート５ｂを重ね合わせ、その上面に付着層７を介してモルタルによる保護層（下地層４ｂ）を形成し、保護層上に被支持構造物を一体に形成する。【選択図】      図１
2005036896.tif 000002
【特許請求の範囲】
【請求項１】
支持構造物と被支持構造物との間に滑り材を介装することによって被支持構造物を支持構造物に対して滑動自在に支持する構造の滑り支承であって、滑り材としてポリエチレンシートを採用したことを特徴とする滑り支承。
【請求項２】
請求項１記載の滑り支承において、支持構造物と被支持構造物の双方にそれぞれ下地層を介してポリエチレンシートを取り付け、双方のポリエチレンシートどうしを重ね合わせてその重ね合わせ面を滑り面としたことを特徴とする滑り支承。
【請求項３】
請求項２記載の滑り支承の施工方法であって、支持構造物の上面にモルタルによる下地層を形成してその表面を平坦に仕上げ、下地層の表面に支持構造物側のポリエチレンシートを接着し、その表面に被支持構造物側のポリエチレンシートを重ね合わせ、その上面に付着層を介してモルタルによる保護層を形成し、保護層上に被支持構造物を一体に形成することを特徴とする滑り支承の施工方法。
【発明の詳細な説明】
【技術分野】
【０００１】
本発明は、建築・土木構造物に適用される滑り支承およびその施工方法に関する。
【背景技術】
【０００２】
周知のように、この種の滑り支承は、構造物の変形や変位を許容する必要がある場合にその構造物を滑動自在に支持するためのものであって、たとえば特許文献１に示されるように、ポストテンション工法により張力が導入されるＰＣ部材を支持する場合に広く採用されている。
【０００３】
そのような滑り支承の構造としては、支持構造物と被支持構造物との間に滑り材を介装することが基本であるが、この種の滑り支承における滑り材の摩擦抵抗μは０．１程度であることが必要とされ、そのため滑り材としてはポリ４フッ化エチレン（いわゆるテフロン（登録商標））が採用されることが最も一般的である。
【特許文献１】特開平７−９７１９１号公報
【発明の開示】
【発明が解決しようとする課題】
【０００４】
しかし、ポリ４フッ化エチレンはかなり高価な素材であり、大規模な構造物に適用するような場合には高価なポリ４フッ化エチレンを多量に必要とするために多大のコストを要している。そのため、より簡単な構造で充分に安価に施工し得る有効適切な滑り支承の開発が望まれていた。
【課題を解決するための手段】
【０００５】
請求項１の発明は、支持構造物と被支持構造物との間に滑り材を介装することによって被支持構造物を支持構造物に対して滑動自在に支持する構造の滑り支承であって、滑り材としてポリエチレンシートを採用したことを特徴とする。
【０００６】
請求項２の発明は、請求項１の発明の滑り支承において、支持構造物と被支持構造物の双方にそれぞれ下地層を介してポリエチレンシートを取り付け、双方のポリエチレンシートどうしを重ね合わせてその重ね合わせ面を滑り面としたことを特徴とする。
【０００７】
請求項３の発明は、請求項２の発明の滑り支承の施工方法であって、支持構造物の上面にモルタルによる下地層を形成してその表面を平坦に仕上げ、下地層の表面に支持構造物側のポリエチレンシートを接着し、その表面に被支持構造物側のポリエチレンシートを重ね合わせ、その上面に付着層を介してモルタルによる保護層を形成し、保護層上に被支持構造物を一体に形成することを特徴とする。
【発明の効果】
【０００８】
請求項１の発明によれば、滑り材の素材として、従来一般のポリ４フッ化エチレンに代えて、それと同等程度の摩擦係数が得られ、しかも遙かに安価な樹脂であるポリエチレンシートを採用したことにより、滑り支承としての機能を損なうことなく、大幅なコストダウンを実現することができる。
【０００９】
請求項２の発明によれば、支持構造物と被支持構造物の双方にそれぞれ取り付けたポリエチレンシートどうしを重ね合わせて、その重ね合わせ面を滑り面としたので、双方のポリエチレンシート間の摩擦抵抗は極めて小さくなり、優れた滑動性能が得られる。しかも、双方のポリエチレンシートには下地層を設けたので、下地層による不陸調整を行うことでポリエチレンシートの厚みを充分に薄くすることができる。
【００１０】
請求項３の発明は、上記構造の滑り支承を施工するに際し、支持構造物を施工した後、その表面に、下地層、下層のポリエチレンシート、上層のポリエチレンシート、付着層、保護層（上層のポリエチレンシートの下地層としても機能する）、被支持構造物を順次積層する形態で施工していくことにより、支持構造物と被支持構造物との間に自ずと滑り支承を介装した状態でそれらの全体を効率的に施工することができる。
【発明を実施するための最良の形態】
【００１１】
図１に本発明の実施形態を示す。本実施形態は、ポストテンション工法により張力が導入されるＰＣスラブを基礎上に設置するに際し、それらの間に滑り支承を介装することによって、張力導入の際にＰＣスラブの変形を許容するようにした場合の適用例である。
【００１２】
図１において、符号１は支持構造物としての基礎、２は被支持構造物としてのＰＣスラブ、３はそれらの間に介装された滑り支承である。本実施形態の滑り支承３は、基礎１とＰＣスラブ２の双方にそれぞれ下地層４ａ、４ｂを介して滑り材としてのポリエチレンシート５ａ、５ｂを取り付け、双方のポリエチレンシート５ａ、５ｂどうしを重ね合わせることでその重ね合わせ面を滑り面６とした構造とされているものである。
【００１３】
滑り材としてのポリエチレンシート５ａ、５ｂは、公知の各種ポリエチレン（ＰＥ）、たとえばエチレンの単独重合体である高密度ポリエチレン（ＨＤＰＥ）や低密度ポリエチレン（ＬＤＰＥ）、あるいはエチレンと他のαオレフィン（プロピレン、ブテン等）との共重合体である直鎖状低密度ポリエチレン（ＬＬＤＰＥ）を素材として、それを厚さ１ｍｍ程度の薄いシート状に形成したものである。本実施形態では、そのようなポリエチレンシート５ａ、５ｂを基礎１の上面とＰＣスラブ２の下面の双方に対して取り付けて、それら２枚のポリエチレンシート５ａ、５ｂを重ね合わせた状態でＰＣスラブ２を基礎１により支持することにより、双方のポリエチレンシート５ａ、５ｂ間の重ね合わせ面がすべり面６となってそこでの摩擦抵抗は充分に低くなり、滑り支承として必要とされる充分な低摩擦抵抗（摩擦係数μが０．１程度）を確保できるものとなっている。
【００１４】
したがって、このような構造の滑り支承３によれば、ＰＣスラブ２を基礎１により滑動自在に支持することができ、このＰＣスラブ２に対して張力を導入する際にはその変形を支障なく許容し得て所望張力を確実に導入することができる。また、滑り材としてのポリエチレンシート５ａ、５ｂは従来のポリ４フッ化エチレンに比較して遙かに安価であるので、ポリ４フッ化エチレンを用いる滑り支承に比較して大幅なコストダウンを実現することができる。
【００１５】
上記の滑り支承３とそれにより支持されるＰＣスラブ２の施工は、たとえば以下の手順により行うことが好ましい。すなわち、基礎１を施工した後、まずその上面の不陸を調整するためにモルタルからなる下地層４ａを形成する。下地層４ａの厚みは２０ｍｍ程度で良いが、その表面は可及的に平滑に仕上げることが好ましく、そのためにはたとえば蓋枠を組み立ててその内部に自己充填性を有する無収縮モルタルを充填することで下地層４ａを形成することが好ましく、さらにその表面を金コテ仕上げとすることが好ましい。
【００１６】
次に、下地層４ａの表面に、下層側の滑り材であるポリエチレンシート５ａを適宜の接着材により接着する。この際、ポリエチレンシート５ａに不陸が生じたり皺がよるようなことを避けることはもとより、摩擦抵抗の増大を避けるために、可能であればポリエチレンシート５ａとして１枚の大判のものを用いて継ぎ目なく接着することが好ましい。複数のポリエチレンシートを並べて接着しなければならない場合には、その継ぎ目に段差や隙間が生じないように留意し、かつ、継ぎ目の方向をＰＣスラブ２の滑りの方向（後段における張力導入の際に生じる変形の方向）に合わせることが好ましい。
【００１７】
上記で接着した下層側の滑り材であるポリエチレンシート５ａの上面に、上層側の滑り材であるポリエチレンシート５ｂを重ね合わせて配設する。この際、双方のポリエチレンシート５ａ、５ｂの間に異物が挟み込まれないように留意すべきは当然である。なお、可能であれば双方のポリエチレンシート５ａ、５ｂを予め２枚重ねとしておいて、そのまま下層側のポリエチレンシート５ａを下地層４ａに対して接着することでも良く、そのようにすれば双方のポリエチレンシート５ａ、５ｂの間に異物が入り込む余地がない。
【００１８】
次いで、上層側のポリエチレンシート５ｂの上面に付着層７を形成する。付着層７としてはたとえばゴムアスファルト系のシート材を採用し、その下面には硅砂を付着させておいてポリエチレンシート５ｂに対して確実に付着させる。
【００１９】
そして、付着層７上にモルタルによる下地層４ｂを形成した後、この下地層４ｂの上部に直接的にコンクリートを打設してＰＣスラブ２を形成する。これにより、ＰＣスラブ２は自ずと下地層４ｂ、付着層７、上層のポリエチレンシート５ｂと一体に形成されることになり、その下地層４ｂはＰＣスラブ２を形成するための底型枠（打込型枠）として機能するとともに、同時にコンクリート打設の際にポリエチレンシート５ｂを保護するための保護層としても機能するものである。
【００２０】
以上のように、基礎１を施工した後に、その上面に、下地層４ａ、ポリエチレンシート５ａ、ポリエチレンシート５ｂ、付着層７、保護層としての下地層４ｂ、ＰＣスラブ２を順次積層する形態で施工していくことにより、基礎１とＰＣスラブ２との間に自ずと滑り支承３を介装した状態でそれらの全体を効率的に施工することができる。
【００２１】
以上で本発明の一実施形態を説明したが、上記実施形態は本発明を実施するうえで最適な一例に過ぎず、本発明は支持構造物と被支持構造物との間に滑り材としてのポリエチレンシートを介装する限りにおいて、上記実施形態に限定されることなくたとえば以下に列挙するような適宜の設計的変更が可能である。
【００２２】
上記実施形態では、滑り支承３における滑り材として２枚のポリエチレンシート５ａ、５ｂを採用し、それらの重ね合わせ面を滑り面６とする構成としたが、支持構造物と被支持構造物との間に単に１枚のポリエチレンシートを介装することでもそれらの間の摩擦抵抗を充分に小さくできるので、必要とされる滑り性能によっては必ずしも２枚のポリエチレンシートを用いることはなく１枚のみとすることでも良い。
【００２３】
上記実施形態では各ポリエチレンシート５ａ、５ｂに下地層４ａ、４ｂを設けるようにしたが、ポリエチレンシートの取り付け面が自ずと充分に平坦、平滑であるような場合、あるいはポリエチレンシートの厚さを充分に厚くしてそれ自体で取り付け面の凹凸や不陸を吸収できるような場合には、下地層４ａ、４ｂを省略してポリエチレンシートを支持構造物や被支持構造物の表面に直接的に取り付けることも可能である。
【００２４】
上記実施形態では、支持構造物としての基礎１上に、滑り支承３と、被支持構造物としてのＰＣスラブ２を順次積層していく状態で施工していくようにしたが、被支持構造物がたとえばプレキャストコンクリート部材であるような場合には、その被支持構造物を別途製作しておいて、それを滑り支承を介して支持構造物上に設置することも可能である。また、滑り支承自体も別途製作して支持構造物上に配置するようにしても良い。
【００２５】
勿論、本発明は、上記実施形態のようにポストテンション工法により張力が導入されるＰＣスラブ２を基礎１に対して変形可能に支持する場合のみならず、たとえば免震建物における免震装置としての滑り支承に適用する等、各種の被支持構造物を各種の基礎構造物に滑動可能に支持する場合全般に広く適用できるものである。
【図面の簡単な説明】
【００２６】
【図１】本発明の滑り支承の実施形態を示す概略構成図である。
【符号の説明】
【００２７】
１  基礎（支持構造物）
２  ＰＣスラブ（被支持構造物）
３  滑り支承
４ａ  下地層
４ｂ  下地層（保護層）
５ａ、５ｂ  ポリエチレンシート（滑り材）
６  滑り面
７  付着層
【図１】
2005036896.tif 000003